(57)【要約】【課題】発明は携帯用端末機で演奏機能を行う装置及び方法を提供する。【解決手段】本発明による装置及び方法は、特定の演奏音を生成するために、予め設定された演奏音と前記演奏音の各々に該当するキー入力の組合せパターンとが記憶された音源組合せテーブルを記憶しているメモリと、前記演奏音の再生のための複数のキー入力を受けるキーパッドと、前記複数のキー入力に対応する演奏音を再生するオーディオ処理部と、前記複数のキー入力の組合せパターンを分析し、前記音源組合せテーブルを用いて前記キー入力の組合せパターンに合う演奏音を抽出し、前記抽出した演奏音を再生する制御部と、を含む。【選択図】図１
2006259707.tif 000002
【特許請求の範囲】
【請求項１】
携帯用端末機で演奏機能を行う装置であって、
予め設定された演奏音と前記演奏音の各々に該当するキー入力の組合せパターンとが記憶された音源組合せテーブルを記憶しているメモリと、
前記演奏音の再生のための複数のキー入力を受けるキーパッドと、
前記複数のキー入力に対応する演奏音を再生するオーディオ処理部と、
前記複数のキー入力の組合せパターンを分析し、前記音源組合せテーブルを用いて前記キー入力の組合せパターンに合う演奏音を抽出し、前記抽出した演奏音を再生する制御部と、を含むことを特徴とする演奏機能遂行装置。
【請求項２】
前記キーパッドは、
前記演奏音を受ける演奏キーと、
前記演奏音に該当する半音及びオクターブを設定するための演奏設定キーと、を備えることを特徴とする、請求項１に記載の演奏機能遂行装置。
【請求項３】
前記再生する演奏音に該当する情報をディスプレイする表示部をさらに含むことを特徴とする、請求項１に記載の演奏機能遂行装置。
【請求項４】
前記メモリには、前記オーディオ処理部で再生される所定の演奏音が記憶されることを特徴とする、請求項１に記載の演奏機能遂行装置。
【請求項５】
前記演奏音は、予め設定された複数の楽器のうち、選択されたいずれか一つの楽器の音色で再生されることを特徴とする、請求項１に記載の演奏機能遂行装置。
【請求項６】
前記演奏音は、予め設定された複数の楽器のうち、いずれか一つの楽器の音色で再生されることを特徴とする、請求項１に記載の演奏機能遂行装置。
【請求項７】
前記演奏音は、全音階におけるステップに応じて設定された音階あるいは音調のうち、いずれか一つに対応することを特徴とする、請求項１に記載の演奏機能遂行装置。
【請求項８】
前記演奏音にはオクターブ及び半音が適用されて再生されることを特徴とする、請求項１に記載の演奏機能遂行装置。
【請求項９】
携帯用端末機で演奏機能を行う方法であって、
演奏モードを設定し、複数のキー入力を受けるステップと、
前記複数のキー入力に合う複数のキー入力の組合せパターンを分析し、予め設定された演奏音と前記演奏音のキー入力の組合せパターンとが記憶された音源組合せテーブルを用いて前記キー入力の組合せパターンから所定の演奏音を抽出するステップと、
前記抽出した演奏音を再生するステップと、を含むことを特徴とする演奏機能遂行方法。
【請求項１０】
前記演奏音再生のためのオクターブあるいは半音を設定するキー入力が存在すれば、前記入力されたキー入力によるオクターブあるいは半音を設定して前記演奏音を再生するステップをさらに含むことを特徴とする、請求項９に記載の演奏機能遂行方法。
【請求項１１】
前記再生される演奏音に対する情報をディスプレイするステップをさらに含むことを特徴とする、請求項９に記載の演奏機能遂行方法。
【請求項１２】
前記ディスプレイされる演奏音が記憶されるか否かを判定するステップと、
前記判定結果に応じて前記演奏音を記憶するステップと、をさらに含むことを特徴とする、請求項９に記載の演奏機能遂行方法。
【請求項１３】
前記演奏モードで既に記憶された演奏音を再生するか否かを判定するステップと、
前記判定結果に応じて前記既に記憶された演奏音を再生するステップと、をさらに含むことを特徴とする、請求項１２に記載の演奏機能遂行方法。
【請求項１４】
前記演奏音を再生するステップは、
前記演奏音に適用する楽器を設定するステップと、
前記設定された楽器の音色で前記演奏音を再生するステップと、を含むことを特徴とする請求項９に記載の演奏機能遂行方法。
【請求項１５】
前記演奏音は、全音階におけるステップに応じて設定された音階あるいは音調のうち、いずれか一つに対応することを特徴とする、請求項９に記載の演奏機能遂行方法。
【請求項１６】
前記演奏音を再生するステップは、
前記演奏音の演奏に使用する少なくとも一つの楽器を選択するステップと、
前記選択された少なくとも一つの楽器の音色で前記演奏音を再生するステップと、を含むことを特徴とする、請求項９に記載の演奏機能遂行方法。
【請求項１７】
携帯用端末機で演奏機能を行うためのコンピュータプログラムを備えるコンピュータ判読可能な記憶媒体であって、
演奏モードを設定し、複数のキー入力を受ける第１の機能と、
前記複数のキー入力に合う複数のキー入力の組合せパターンを分析し、予め設定された演奏音と前記演奏音のキー入力の組合せパターンとが記憶された音源組合せテーブルを用いて前記キー入力の組合せパターンから所定の演奏音を抽出する第２の機能と、
前記抽出した演奏音を再生する第３の機能と、を含むことを特徴とするコンピュータプログラム。
【請求項１８】
前記演奏音再生のためのオクターブあるいは半音を設定するキー入力が存在すれば、前記入力されたキー入力によるオクターブあるいは半音を設定して前記演奏音を再生する機能と、
前記再生される演奏音に対する情報をディスプレイする機能と、をさらに含むことを特徴とする、請求項１７に記載のコンピュータプログラム。
【請求項１９】
前記ディスプレイされる演奏音を記憶するか否かを判定し、前記判定結果に応じて前記演奏音を記憶する機能と、 
前記演奏モードで既に記憶された演奏音を再生するか否かを判定し、その判定結果に応じて前記既に記憶された演奏音を再生する機能と、をさらに含むことを特徴とする、請求項１７に記載のコンピュータプログラム。
【請求項２０】
前記演奏音に適用する少なくとも一つの楽器を設定し、前記設定された少なくとも一つの楽器の音色で前記演奏音を再生する機能をさらに含むことを特徴とする、請求項１７に記載のコンピュータプログラム。
【発明の詳細な説明】
【技術分野】
【０００１】
本発明は携帯用端末機に係り、特に、携帯用端末機で演奏機能を支援する装置及び方法に関する。
【背景技術】
【０００２】
一般に“第１世代の(１Ｇ)無線通信”と呼ばれるアナログ無線通信と比べると、“第２世代の(２Ｇ)無線通信”のデジタル方式は、無線網を中心として音声及び低速のデータを伝送する。前記無線網中心の２Ｇ無線通信サービスは、有／無線統合の高速インターネットとマルチメディアサービスが可能な第３世代の(３Ｇ)移動通信サービス(International Mobile Telecommunication-2000(ＩＭＴ−２０００))を通じて超高速、大容量及び移動性を特徴とする第４世代の移動通信サービスに発展している趨勢である。このような様々な新しい移動通信サービスの開発により、時間と場所にかかわらず、だれでも利用できる各種付加サービスの大衆化が可能になった。さらに、移動通信サービスの発展とともに、携帯用端末機技術も発展している。デジタル化及びネットワーク化に基づく情報化社会の携帯用端末機は、個人携帯による多機能化、高速化及び小型化に進むことにより、音声のみならず、データや映像までも実時間サービスできるように発展している。
【０００３】
代表的な携帯用端末機には、セルラーフォン、ＰＤＡ(Personal Digital Assistants)、ＨＨＰ(Hand Held Phone)、デジタル通信装置及びゲーム用の携帯装置などがある。前記携帯用端末機を携帯するサービス加入者は、時間及び場所にかかわらず、所望の情報を交換し、各種のデータサービスを受けることができる。このため、前記携帯用端末機は小型化、スリム化、グリップ化及び軽量化の特徴を含む傾向を示し、前記移動通信技術の発展に応じて様々なマルチメディア環境やインターネット環境に適用するように変形している趨勢である。
【０００４】
したがって、前記携帯用端末機は現代人の生活必需品となり、データ通信、ゲーム及び動画再生などの各種機能を備える携帯用端末機に対する必要性が認められている。前記各種所望の機能は、所定の音源を用いてそれを再生する機能をさらに含むこともできる。たとえば、初期の携帯用端末機は単音のベルサウンドのみを支援したが、音源チップの開発により、４０以上の多重和音のベルサウンドを支援する多音和音ベルサウンドを支援できる。このような音源チップの開発と共に、ＭＰ３プレーヤー機能を内装する携帯用端末機のみならず、様々な音源再生機能を有する携帯用端末機まで紹介されている。かかる携帯用端末機は各種音源を支援する機能を備えているが、今までは前記携帯用端末機を用いて楽器の演奏機能を提供する携帯用端末機は開発されていない。
【０００５】
したがって、楽器演奏機能を提供する携帯用端末機及びその動作方法を提供する必要性がある。その上、現在の使用者インターフェースは多数の音を表現しにくいため、様々な音色を用いて音楽演奏を可能にする携帯用端末機及びその動作方法に対する必要性が認められている。
【発明の開示】
【発明が解決しようとする課題】
【０００６】
上記従来の問題点を解決するための本発明の実施形態による目的は、携帯用端末機で演奏機能を行う装置及び方法を提供することである。
【０００７】
さらに、本発明の実施形態による他の目的は、携帯用端末機で制限された使用者インターフェースを通じて様々な音を再生して演奏機能を行う装置及び方法を提供することである。
【課題を解決するための手段】
【０００８】
このような目的を達成するために、本発明の１つの特徴によれば、携帯用端末機で演奏機能を行う装置であって、予め設定された演奏音と前記演奏音の各々に該当するキー入力の組合せパターンとが記憶された音源組合せテーブルを記憶しているメモリと、前記演奏音の再生のための複数のキー入力を受けるキーパッドと、前記複数のキー入力に対応する演奏音を再生するオーディオ処理部と、前記複数のキー入力の組合せパターンを分析し、前記音源組合せテーブルを用いて前記キー入力の組合せパターンに合う演奏音を抽出し、前記抽出した演奏音を再生する制御部と、を含むことを特徴とする。
【０００９】
本発明の他の１つの特徴によれば、携帯用端末機で演奏機能を行う方法であって、演奏モードを設定し、複数のキー入力を受けるステップと、前記複数のキー入力に合う複数のキー入力の組合せパターンを分析し、予め設定された演奏音と前記演奏音のキー入力の組合せパターンとが記憶された音源組合せテーブルを用いて前記キー入力の組合せパターンから所定の演奏音を抽出するステップと、前記抽出した演奏音を再生するステップと、を含むことを特徴とする。
【発明の効果】
【００１０】
本発明によれば、携帯用端末機でキーパッドを通じて所定の演奏音のキー入力を受け、これを音源組合せテーブルを用いて演奏音を再生する。したがって、前記携帯用端末機は演奏機能を提供し、制限された使用者インターフェースを用いて様々な演奏音を再生することができる。さらに、本発明による携帯用端末機の演奏機能を用いて数人が協力して演奏することもできる。
【発明を実施するための最良の形態】
【００１１】
以下、本発明の好適な一実施形態を添付図面を参照して詳細に説明する。下記の説明において、本発明の要旨のみを明瞭にする目的で、関連した公知の機能又は構成に関する具体的な説明は省略する。
【００１２】
本発明は、携帯用端末機で所定のキー入力に対応して演奏音の再生が可能な演奏機能を有する装置及び方法を提案する。すなわち、本発明は、所定のキー入力に対応して前記キー入力の組合せパターンを生成し、前記キー入力の組合せパターンとマッピングされた演奏音を抽出し、それを再生する装置及び方法を提案する。
【００１３】
図１は、本発明の実施形態による演奏機能を行う携帯用端末機の構造を概略的に示した図である。
【００１４】
図１を参照すれば、携帯用端末機は、制御部１０１、無線送受信部(ＲＦ部)１０３、モデム１０５、オーディオ処理部１０７、キーパッド１１１、メモリ１１３、カメラ１１５、信号処理部１１７、ビデオ処理部１１９及び表示部１２１を備える。さらに、前記携帯用端末機はマイク(ＭＩＣ)及びスピーカー(ＳＰＫ)をさらに含むことができる。前記ＲＦ部１０３は携帯用端末機の無線通信機能を行う。前記ＲＦ部１０３は、送信される信号の周波数を上り変換及び増幅するＲＦ送信器と、受信される信号を低雑音増幅し、周波数を下り変換するＲＦ受信器とを含むこともできる。
【００１５】
前記モデム１０５は、前記送信される信号を符号化及び変調する送信器と、前記受信される信号を復号化及び復調する受信器とを備える。
【００１６】
前記オーディオ処理部１０７はコーデックを用いて構成でき、たとえば、前記コーデックはパケットデータなどを処理するデータコーデックと、音声などのオーディオ信号を処理するオーディオコーデックとを具備し得る。前記オーディオ処理部１０７は、前記モデム１０５から受信されるデジタルオーディオ信号を前記オーディオコーデックを通じてアナログ信号に変換して再生するか、あるいは、マイクから発生して送信されるアナログオーディオ信号を前記オーディオコーデックを通じてデジタルオーディオ信号に変換して前記モデム１０５へ伝送する。前記コーデックは別途に備えられるか、あるいは前記制御部１０１に含まれることができる。
【００１７】
前記キーパッド１１１は、数字及び文字情報を入力するためのキー及び各種の機能を設定するための機能キーを備える。さらに、前記キーパッド１１１は、本発明の実施形態に応じて前記演奏機能を行うための演奏キーを備える。前記演奏キーは既存のキーパッドに設定するか、別途の演奏キーを加えて構成できる。
【００１８】
前記メモリ１１３はプログラムメモリ及びデータメモリで構成できる。前記プログラムメモリには、携帯用端末機の一般動作を制御するためのプログラムが記憶される。さらに、前記データメモリには、前記プログラムを行うときに発生するデータが一時的に記憶される。
【００１９】
前記制御部１０１は携帯用端末機の全般的な動作を制御する機能を行う。上述したように、前記制御部１０１は前記モデム１０５及びコーデックを含むこともできる。さらに、前記制御部１０１は本発明の実施形態に応じて演奏機能遂行の一連の動作過程を制御する。
【００２０】
前記カメラ１１５は映像データを撮影し、撮影した光信号を電気的信号に変換するカメラセンサーを備える。ここで、前記カメラセンサーはＣＣＤ(charge coupled device)センサーと仮定する。
【００２１】
前記信号処理部１１７は、前記カメラ１１５から出力される映像信号をイメージ信号に変換する。ここで、前記信号処理部１１７はデジタル信号処理器(ＤＳＰ)で構成し得る。
【００２２】
前記映像処理部１１９は、前記信号処理部１１７から出力される映像信号を表示するための画面データを発生する機能を行う。前記映像処理部１１９は、前記制御部１０１の制御下で受信される映像信号及びデータを表示部１２１の規格に応じて伝送する。
【００２３】
前記表示部１２１は、前記映像処理部１１９から出力される映像データを表示する。ここで、前記表示部１２１はＬＣＤを使用でき、その場合、前記表示部１２１はＬＣＤ制御部、映像データを記憶できるメモリ及びＬＣＤ表示素子などを含むことができる。前記ＬＣＤをタッチスクリーン方式で具現する場合、前記キーパッド１１１とＬＣＤは入力部として動作する。 
【００２４】
本発明の実施形態では、上述した構成を有する携帯用端末機に演奏機能を適用する。本発明の好ましい実施形態による前記携帯用端末機の演奏機能を図１に参照して説明する。
【００２５】
本発明の実施形態による携帯用端末機は、演奏機能実行のための演奏音を再生するために使用者からキーパッド１１１を通じてキー入力を受ける。この際、前記キーパッド１１１は、演奏音再生のための演奏キーと、前記演奏音に該当する半音又はオクターブを設定するための演奏設定キーとを備えている。上述したように、前記演奏キーと演奏設定キーは既存の携帯用端末機に適用されたキーで具現するか、前記演奏機能の実行のための演奏キーを別途に構成することもできる。
【００２６】
前記制御部１０１は、前記キーパッド１１１からキー入力が存在する場合は、前記演奏キー入力に対してキー入力の組合せパターンを分析し、前記メモリ１１３に記憶されている音源組合せテーブルをローディングして前記キー入力の組合せパターンに合う演奏音を抽出する。ここで、前記音源組合せテーブルは特定の演奏音を生成するために所定の演奏音と、これに該当するキー入力の組合せパターンとをマッピングしてメモリ１１３の領域に記憶したものである。
【００２７】
演奏音の再生のために三つのボタンを用いる前記音源組合せテーブルの例を表１に示した。
【００２８】
【表１】
2006259707.tif 000003
【００２９】
前記表１を参照すれば、キーパッド１１１の三つの入力ボタンが各演奏音にマッピングされている。本発明の好ましい実施形態によれば、再生音はドレミファの全音階の度又は音程による音階及び音調を含む。ここで、‘Ｐ’は動作するキーであり、‘Ｏ’は動作しないキーを示す。例えば、前記演奏キーのうち、中間部分のキーのみが動作すれば、前記演奏音は‘レ’となる。
【００３０】
さらに、前記演奏キーのキーパッド入力組合せパターンと共に、前記携帯用端末機は前記演奏設定キーの入力も受信する。前記制御部１０１は、前記演奏設定キーにオクターブあるいは半音を設定して表１の七つの演奏音に拡張することにより、広い帯域の音を再生するようになる。すなわち、前記オクターブ設定のための演奏設定キーが入力されれば、該当入力に応じてオクターブを設定する。しかしながら、オクターブ設定のための演奏設定キー入力が存在しなければ、現在設定されたオクターブを維持する動作を行う。同様に、半音設定のための演奏設定キー入力が存在すれば、前記演奏キーによる演奏音に対して半音を設定する。さらに、本発明は前記オクターブや半音を設定する方法の他にも、他の機能を有するキーを追加して適用できる。
【００３１】
一方、前記制御部１０１は前記動作に応じて再生する演奏音を抽出し、それを前記モデム１０５へ伝送する。前記モデム１０５は入力される信号(すなわち、演奏音)を符号化してオーディオ処理部１０７へ伝送する。前記オーディオ処理部１０７は前記モデム１０５から受信されるデジタルオーディオ信号(すなわち、演奏音)を前記オーディオコーデックを通じてアナログ信号に変換して再生する。前記演奏音を再生するときに、前記演奏設定キーの入力に応じて半音或いはオクターブを設定し、楽器機能の適用に応じて様々な楽器の音色を適用して前記演奏音を再生する。
【００３２】
さらに、本発明は前記演奏される演奏音をメモリ１１３に記憶した後、そのメモリ１１３に記憶された演奏音を再生させるようにする機能を適用できる。その上、前記制御部１０１は、前記オーディオ処理部１０７を通じて再生される演奏音の音階、オクターブ及び半音などの演奏音に対する情報を表示部１２１上にディスプレイするように制御し、前記表示部１２１は前記制御部１０１の所定の制御に応じて前記演奏音に対する情報をディスプレイする。
【００３３】
本発明の実施形態に応じて前記キーパッドに演奏音を再生するための演奏キー及び演奏設定キーを適用した例を、図２Ａ及び２Ｂに参照して説明する。
【００３４】
図２Ａは、本発明の実施形態による演奏機能を行う携帯用端末機でフォルダ開放状態の携帯用端末機の外部を概略的に示した図である。図２Ｂは、本発明の実施形態による演奏機能を行う携帯用端末機でフォルダ閉鎖状態の携帯用端末機の外部を概略的に示した図である。
【００３５】
図２Ａ及び２Ｂを参照すれば、携帯用端末機の一側に前記演奏音再生のための演奏キー２０１が備えられる。図２Ａ及び２Ｂに示した本発明の実施例では三つの演奏キーを使用することを一例として説明するが、本発明はこれに限定されず、演奏キーの個数、位置及び配置を変更して構成する方法も適用可能である。演奏音入力のための演奏キー２０１の個数に応じて前記音源組合せテーブルは変更可能である。さらに、本発明では、演奏の便宜上、演奏キー２０１を端末機の外部に構成した場合を示したが、前記演奏キー２０１は既存のキーパッドに拡張して使用者設定などを通じても使用できる。図２Ａ及び２Ｂに示した携帯用端末機は、図２Ａに示したようにフォルダ開放状態における主表示部２０８と、図２Ｂに示したようにフォルダ閉鎖状態における副表示部２１０とを含むことができる。
【００３６】
さらに、本発明の実施形態による携帯用端末機は演奏設定キー２０３，２０５，２０７を備える。図２Ａに示したフォルダ開放状態では、前記オクターブの上り及び下り設定のための演奏設定キー２０３を用いてオクターブを設定し、半音設定のための演奏設定キー２０５を用いて演奏音に半音を設定できる。図２Ｂに示したフォルダ閉鎖状態の場合は、フォルダの外部に別途のオクターブ設定及び半音設定のための４種の演奏設定キー２０７を備える。その上、図２Ａに示したように、携帯用端末機のフォルダ開放状態で、使用者はフォルダの表面に別途に設けられた４種の演奏設定キー２０７を用いてオクターブと半音を設定できる。
【００３７】
図３は、本発明の実施形態による演奏機能を行う携帯用端末機のディスプレイ画面を概略的に示した図である。
【００３８】
図３を参照すれば、前記携帯用端末機で再生される演奏音が‘ソ’であり、半音が‘#’に設定され、‘３'オクターブで示されている。このように、本発明によれば、現在表示される音を前記携帯用端末機を通じて主表示部２０８(例えば、図２Ａに示した携帯用端末機のフォルダ開放状態)上に表示でき、図２Ｂに示したようにフォルダ閉鎖状態でも演奏される音に対する情報を副表示部２１０に表示できる。
【００３９】
図４は、本発明の実施形態による演奏機能を行う携帯用端末機の動作を概略的に示したフローチャートである。 
【００４０】
図４を参照すれば、前記携帯用端末機は、ステップ４０１で、演奏音を再生するために演奏モードを設定する。ステップ４０３では、前記演奏モードで使用者が演奏した演奏音または記憶された演奏音を再生するかどうかを判定する。その判定結果、前記演奏音を再生しようとする場合は、ステップ４０５で、前記記憶されている演奏目録に対するディスプレイなどを行うか、演奏目録に該当する短縮キーなどを用いて前記携帯用端末機の使用者などから再生する音楽の選択を可能にする。その後、ステップ４０７では、前記選択された音楽の演奏音を再生する。
【００４１】
しかしながら、前記判定結果、前記演奏音を再生しない場合は、前記携帯用端末機で演奏音を様々な楽器で支援可能にする。このために、ステップ４０９では、前記携帯用端末機で提供可能な楽器の目録を表示し、前記携帯用端末機で演奏音を再生するとき、再生音を様々な楽器の音色で再生するように演奏楽器を設定する。仮に、前記設定された楽器がトランペットである場合は、前記演奏音をトランペッドの音色で演奏可能にする。
【００４２】
ステップ４１１で、前記携帯用端末機のキーパッドにキー入力、すなわち、演奏キー又は演奏設定キーなどのキー入力を使用者から受ける。ステップ４１３では、前記入力される演奏キーのキー入力の組合せパターンを分析し、前記演奏設定キーの入力も分析する。前記キー入力の組合せパターンが分析されれば、ステップ４１５で音源組合せテーブルを用いて演奏音を抽出し、ステップ４１７で前記抽出した演奏音に対する設定情報、すなわち、オクターブ、半音の設定及び楽器情報を適用する。
【００４３】
ステップ４１９では、前記演奏音を記憶設定するかどうかを判定する。前記演奏音を記憶設定すると判定する場合は、ステップ４２１で前記演奏音を記憶する。ここで、前記記憶された演奏音はベルサウンドとして使用するか、必要な場合に再生できる。その後、ステップ４２３で、前記携帯用端末機は前記演奏音を再生する。ステップ４２５では、前記携帯用端末機は演奏モードを終了するかどうかを判定し、その判定結果に応じて演奏モードを終了するか、ステップ４１７に復帰して次の演奏音に対するキー入力を受ける。このような動作に応じて本発明の実施形態による携帯用端末機は、前記キー入力に対応する演奏音を再生し、オクターブ及び半音を設定して様々な音を再生することができる。
【００４４】
さらに、上述した演奏機能を有する携帯用端末機を用いて前記演奏機能に対する各種の応用動作も可能である。その上、前記演奏機能を有する携帯用端末機を用いて各種のゲームなどを行うこともできる。 
【００４５】
図５は、本発明の実施形態による携帯用端末機の演奏機能に対する応用動作を概略的に示した図である。
【００４６】
図５を参照すれば、一定の時間間隔で各キー入力に対するボタンの動作状態を指示する一連のボタンの入力情報を表示すれば、前記携帯用端末機は使用者から前記入力情報に該当するキー入力を受けて演奏する‘Ｐｕｍｐ’ゲームを行える。
【００４７】
図５に例示したゲームの他にも、使用者は前記演奏機能を有する携帯用端末機を使用することにより、様々な機能を適用して活用できる。
【００４８】
上述したように、本発明ではフォルダ型の端末機に三つの演奏キーとオクターブ及び半音を設定する演奏キーとを例として説明したが、他の形態の携帯用端末機の使用も可能であり、既存のキーパッド又は別途のキーパッドを別途に構成したキーパッドを用いて前記機能を行うようにすることもできる。さらに、前記演奏キーの追加などに応じて前記音源組合せテーブルを変更して適用できる。
【００４９】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００５０】
【図１】図１は、本発明の実施形態による演奏機能を行う携帯用端末機の構造を概略的に示した図である。
【図２Ａ】図２は、Ａは本発明の実施形態による演奏機能を行う、フォルダ開放状態の携帯用端末機の外部を概略的に示した図である。
【図２Ｂ】Ｂは本発明の実施形態による演奏機能を行う、フォルダ閉鎖状態の携帯用端末機の外部を概略的に示した図である。
【図３】図３は、本発明の実施形態による演奏機能を行う携帯用端末機のディスプレイ画面を概略的に示した図である。
【図４】図４は、本発明の実施形態による演奏機能を行う携帯用端末機の動作を概略的に示した図である。
【図５】図５は、本発明の実施形態による携帯用端末機の応用動作を概略的に示した図である。
【図１】
2006259707.tif 000004
【図２Ａ】
2006259707.tif 000005
【図２Ｂ】
2006259707.tif 000006
【図３】
2006259707.tif 000007
【図４】
2006259707.tif 000008
【図５】
2006259707.tif 000009
【外国語明細書】
2006259707.tif 000010
2006259707.tif 000011
2006259707.tif 000012
2006259707.tif 000013
2006259707.tif 000014
2006259707.tif 000015
2006259707.tif 000016
2006259707.tif 000017
2006259707.tif 000018
2006259707.tif 000019
2006259707.tif 000020
2006259707.tif 000021
2006259707.tif 000022
2006259707.tif 000023
2006259707.tif 000024
2006259707.tif 000025
2006259707.tif 000026
2006259707.tif 000027
2006259707.tif 000028
2006259707.tif 000029